(57)【要約】      （修正有）【課題】小型軽量安価な構造で剛性を高くする。【解決手段】レンズホルダ３が、対物レンズＯＬを配置したホルダ本体３Ａと、該ホルダ本体３Ａの両端から延びて互いに平行する一対のアーム３Ｂと、該両アーム３Ｂの遊端どうしをつなぐブリッジ３Ｃとを有し、各アーム３Ｂが、該各アーム３Ｂの中央を通る切断線Ｌを境にしてホルダ本体側アーム部３Ｂａと、ブリッジ側アーム部３Ｂｂとに分割され、ホルダ本体３Ａ及びホルダ本体側アーム部３Ｂａが合成樹脂により成形され、ブリッジ３Ｃ及びブリッジ側アーム部３Ｂｂと該ブリッジ３Ｃに一体形成したカウンターウエイト３Ｄとからなるバランサ１５が非磁性金属により形成され、該バランサ１５のブリッジ側アーム部３Ｂｂがホルダ本体側アーム部３Ｂａに接着剤で接着され、ホルダ本体３Ａの磁石対向面３Ａａにフォーカスコイル７とトラッキングコイル８とが固着されている。【選択図】図１
2012208970.tif 000002
【特許請求の範囲】
【請求項１】
アクトベース上にゲルボックスが固定され、該ゲルボックスに対向してレンズホルダが
配置され、該レンズホルダが、対物レンズを配置したホルダ本体と、該ホルダ本体の両端
から延びて互いに平行する一対のアームと、該両アームの遊端どうしをつなぐブリッジと
を有し、前記ゲルボックス内を通過する複数の弾性ワイヤの先端がレンズホルダの各アー
ムに半田付けされ、レンズホルダ内にフォーカスコイルとトラッキングコイルとが設けら
れ、該両コイル対向する磁石がレンズホルダの空隙内に配置されてアクトベースから立ち
上げたヨークに固着されており、レーザ光が対物レンズを通ってディスクに投射され、各
弾性ワイヤを介して各コイルに通電することにより、レンズホルダを駆動し、その投射光
をディスクで反射させ、その反射光に基づいてディスクに記録されている情報を読み取る
ようにしたレンズアクチュエータにおいて、前記各アームが、該各アームの中央を通る切
断線を境にしてホルダ本体側アーム部と、ブリッジ側アーム部とに分割され、ホルダ本体
及びホルダ本体側アーム部が合成樹脂により成形され、ブリッジ及びブリッジ側アーム部
と該ブリッジに一体形成したカウンターウエイトとからなるバランサが非磁性金属により
形成され、該バランサのブリッジ側アーム部がホルダ本体側アーム部に接着剤で接着され
、ホルダ本体の磁石対向面にフォーカスコイルとトラッキングコイルとが固着されている
ことを特徴とするレンズアクチュエータ。
【請求項２】
前記バランサのブリッジ側アーム部から折れ曲がる延長部が設けられ、該延長部が前記
ホルダ本体の磁石対向面に接着剤で接着されていることを特徴とする請求項１に記載のレ
ンズアクチュエータ。
【発明の詳細な説明】
【技術分野】
【０００１】
本発明は、ディスク装置（例えばＢｌｕ−ｒａｙ  Ｄｉｓｃ式のレコーダまたはプレー
ヤ）のレンズアクチュエータに関し、特に、小型軽量安価な構造で剛性を高くしたもので
ある。
【背景技術】
【０００２】
従来、ディスク装置の一例として特許文献１に記載したものがある。これは、図６の側
面図及び図７の平面図に示すように、アクトベース１上にゲルボックス２が固定され、該
ゲルボックス２に対向してレンズホルダ３が配置され、該レンズホルダ３が、対物レンズ
を配置したホルダ本体３Ａと、該ホルダ本体３Ａの両端から延びて互いに平行する一対の
アーム３Ｂと、該両アーム３Ｂの遊端どうしをつなぐブリッジ３Ｃとを有している。
【０００３】
前記ゲルボックス２の背面のプリント配線基板からなる制御基板４に接続した複数の弾
性ワイヤ５が該ゲルボックス２内のゲル中を通過しレンズホルダ３の各アーム３Ｂに沿っ
て延ばされ、該各弾性ワイヤ５の先端が該各アーム３Ｂに半田付け６され、レンズホルダ
３内にフォーカスコイル７とトラッキングコイル８とが設けられ、両コイル７，８を間に
挟んで対向する一対の磁石９がレンズホルダ３の空隙１０内に配置されてアクトベース１
から立ち上げたヨーク１１に固着され、対物レンズＯＬとのバランスをとるためのカウン
ターウエイト１２がレンズホルダ３のブリッジ３Ｃに取り付けられている。
【０００４】
情報読取手順を説明すると、プレイモードで、レーザダイオード（図示せず）からレー
ザ光Ａが対物レンズＯＬを通ってディスクＤに投射され、各弾性ワイヤ５を介して各コイ
ル７，８に通電することにより、レンズホルダ３をフォーカス方向ａ，ｂ及びトラッキン
グ方向ｃ，ｄに駆動し、その投射光をディスクＤで反射させ、その反射光に基づいてディ
スクＤに記録されている情報を読み取る。
【先行技術文献】
【特許文献】
【０００５】
【特許文献１】特開２００３−１６６６８号公報
【発明の概要】
【発明が解決しようとする課題】
【０００６】
上記従来の構成では、対物レンズＯＬとの重量バランスを取るためにレンズホルダ３の
ブリッジ３Ｃにカウンターウエイト１２が別個に取り付けられており、そのカウンターウ
エイト１２を別個に用いていることから、部品点数が増加してコストアップになる。
【０００７】
近年の高倍速対応の要望に基づいてレンズアクチュエータの小型軽量化を図ることが要
求されており、その要求に応じて、レンズホルダ３を合成樹脂で成形すると共に、そのア
ーム３Ｂの厚みｔ１及びブリッジ３Ｃの厚みｔ２を小さくして薄肉化することが考えられ
ているが、その厚みｔ１，ｔ２を小さくすることにより、剛性が低下し、レンズホルダ３
をフォーカス方向ａ，ｂ及びトラッキング方向ｃ，ｄに高倍速で駆動したときに、そのレ
ンズホルダ３が変形されるおそれがある。
【０００８】
特に、ホルダ本体３Ａに複数の対物レンズＯＬ（例えばＢＤ用対物レンズとＤＶＤ−Ｃ
Ｄ用対物レンズ）を配置する場合（図１参照）には、重くなったホルダ本体３Ａ側に対応
してカウンターウエイト１２として重いものを用いる必要があり、これでは、重量バラン
スを保つことが一層難しくなって剛性に欠けることになる。
【０００９】
本発明は、上記従来の欠点に鑑み、小型軽量安価な構造で剛性を高くしたレンズアクチ
ュエータを提供することを目的としている。
【課題を解決するための手段】
【００１０】
上記目的を達成するため、請求項１に記載の発明は、アクトベース上にゲルボックスが
固定され、該ゲルボックスに対向してレンズホルダが配置され、該レンズホルダが、対物
レンズを配置したホルダ本体と、該ホルダ本体の両端から延びて互いに平行する一対のア
ームと、該両アームの遊端どうしをつなぐブリッジとを有し、前記ゲルボックス内を通過
する複数の弾性ワイヤの先端がレンズホルダの各アームに半田付けされ、レンズホルダ内
にフォーカスコイルとトラッキングコイルとが設けられ、該両コイル対向する磁石がレン
ズホルダの空隙内に配置されてアクトベースから立ち上げたヨークに固着されており、レ
ーザ光が対物レンズを通ってディスクに投射され、各弾性ワイヤを介して各コイルに通電
することにより、レンズホルダを駆動し、その投射光をディスクで反射させ、その反射光
に基づいてディスクに記録されている情報を読み取るようにしたレンズアクチュエータに
おいて、前記各アームが、該各アームの中央を通る切断線を境にしてホルダ本体側アーム
部と、ブリッジ側アーム部とに分割され、ホルダ本体及びホルダ本体側アーム部が合成樹
脂により成形され、ブリッジ及びブリッジ側アーム部と該ブリッジに一体形成したカウン
ターウエイトとからなるバランサが非磁性金属により形成され、該バランサのブリッジ側
アーム部がホルダ本体側アーム部に接着剤で接着され、ホルダ本体の磁石対向面にフォー
カスコイルとトラッキングコイルとが固着されていることを特徴としている。
【００１１】
請求項２に記載の発明は、請求項１に記載の発明において、前記バランサのブリッジ側
アーム部から折れ曲がる延長部が設けられ、該延長部が前記ホルダ本体の磁石対向面に接
着剤で接着されていることを特徴としている。
【発明の効果】
【００１２】
請求項１に記載の発明によれば、レンズホルダのブリッジ側アーム部及びブリッジから
なるバランサが非磁性金属により形成されており、その剛性が高いから、そのバランサの
厚みを小さくして薄肉化しても、レンズホルダをフォーカス方向及びトラッキング方向に
高倍速で駆動したときに、該レンズホルダが変形されるおそれがなく、そのレンズホルダ
の小型軽量化を図ることができる。
【００１３】
また、カウンターウエイトがブリッジに一体形成されているので、部品点数が増加せず
、コストダウンを図ることができる。
【００１４】
特に、ホルダ本体に複数の対物レンズＯＬ（例えばＢＤ用対物レンズとＤＶＤ−ＣＤ用
対物レンズ）を配置した場合で、その重くなったホルダ本体側に対応してカウンターウエ
イトとして重いものを用いたときでも、重量バランスを良好に保って剛性を維持し、レン
ズホルダが変形されないようにすることができる。
【００１５】
請求項２に記載の発明によれば、バランサのブリッジ側アーム部から折れ曲がる延長部
をホルダ本体の磁石対向面に接着剤で接着しているので、そのバランサとホルダ本体とを
一層確実に接合することができる。
【図面の簡単な説明】
【００１６】
【図１】本発明の実施の一形態であるレンズアクチュエータを示す斜視図である。
【図２】同側面図である。
【図３】同平面図である。
【図４】（ａ）は同要部の斜視図、（ｂ）は同要部の分解斜視図である。
【図５】（ａ）は本発明の実施の他の形態であるレンズアクチュエータの要部を示す斜視図、（ｂ）は同要部の分解斜視図である。
【図６】従来例を示す側面図である。
【図７】同平面図である。
【発明を実施するための形態】
【００１７】
図１〜図４は本発明の実施の一形態であるレンズアクチュエータを示すものであって、
Ｂｌｕ−ｒａｙ  Ｄｉｓｃ式のレコーダ（またはプレーヤ）に使用されるものであり、ホ
ルダ本体３Ａに２つの対物レンズＯＬ（ＢＤ用対物レンズとＤＶＤ−ＣＤ用対物レンズ）
が設けられ、レンズホルダ３の各アーム３Ｂが、該各アーム３Ｂの中央を通る切断線Ｌを
境にしてホルダ本体側アーム部３Ｂａと、ブリッジ側アーム部３Ｂｂとに分割され、ホル
ダ本体３Ａ及びホルダ本体側アーム部３Ｂａが合成樹脂により一体成形され、ブリッジ３
Ｃ及びブリッジ側アーム部３Ｂｂと該ブリッジ３Ｃに一体形成したカウンターウエイト３
Ｄとからなるバランサ１５がアルミニウム、真鍮などの非磁性金属からなる板金により形
成されている。
【００１８】
前記切断線Ｌをコ字状に形成することにより、ホルダ本体側アーム部３Ｂａの端縁に凹
部１６が形成されると共に、ブリッジ側アーム部３Ｂｂの端縁に凸部１７が形成されてお
り、その凸部１７を凹部１６に嵌入させ、切断線Ｌに沿って接着剤（例えば熱硬化性接着
剤または紫外線硬化性接着剤）を塗布することにより、両アーム部３Ｂａ，３Ｂｂが接着
されている。
【００１９】
前記ホルダ本体３Ａの磁石対向面３Ａａに２つのフォーカスコイル７と１つのトラッキ
ングコイル８とが固着され、各弾性ワイヤ５の先端がホルダ本体側アーム部３Ｂａのプリ
ント配線基板１８に半田付け６されている。なお、図１中、１９はホルダ本体３Ａの上面
から突出するレンズプロテクタであって、対物レンズＯＬがディスクＤに当たるのを阻止
するものである。上記以外の構成で図６及び図７に示す構成と同一部分に同一符号を付し
てその説明を省略する。
【００２０】
情報読取手順を説明すると、図２に示すように、プレイモードで、レーザダイオード（
図示せず）からレーザ光Ａが対物レンズＯＬを通ってディスクＤに投射され、各弾性ワイ
ヤ５を介して各コイル７，８に通電することにより、レンズホルダ３をフォーカス方向ａ
，ｂ及びトラッキング方向ｃ，ｄ（及びチルト方向）に駆動し、その投射光をディスクＤ
で反射させ、その反射光に基づいてディスクＤに記録されている情報を読み取る。
【００２１】
上記構成によれば、レンズホルダ３のブリッジ側アーム部３Ｂｂ及びブリッジ３Ｃから
なるバランサ１５が非磁性金属により形成されており、その剛性が高いから、そのバラン
サ１５の厚みｔ１，ｔ２を小さくして薄肉化しても、レンズホルダ３をフォーカス方向ａ
，ｂ及びトラッキング方向ｃ，ｄに高倍速で駆動したときに、該レンズホルダ３が変形さ
れるおそれがなく、そのレンズホルダ３の小型軽量化を図ることができる。
【００２２】
また、カウンターウエイト３Ｄがブリッジ３Ｃに一体形成されているので、部品点数が
増加せず、コストダウンを図ることができる。
【００２３】
特に、ホルダ本体３Ａに複数の対物レンズＯＬ（ＢＤ用対物レンズとＤＶＤ−ＣＤ用対
物レンズ）を配置した場合で、その重くなったホルダ本体３Ａ側に対応してカウンターウ
エイト３Ｄとして重いものを用いたときでも、重量バランスを良好に保って剛性を維持し
、レンズホルダ３が変形されないようにすることができる。
【００２４】
図５（ａ）（ｂ）は本発明の実施の他の形態であるレンズアクチュエータを示すもので
あって、Ｂｌｕ−ｒａｙ  Ｄｉｓｃ式のレコーダ（またはプレーヤ）に使用されるもので
あり、バランサ１５の両ブリッジ側アーム部３Ｂｂの先端から該バランサ１５内に向けて
内向き直角に折れ曲がる延長部２１が設けられ、該各延長部２１に対向してホルダ本体３
Ａの磁石対向面３Ａａに凹部１６と連通する凹溝２２が形成されている。上記以外の構成
は図１〜図４に示す構成とほぼ同じであるから、同一部分に同一符号を付してその説明を
省略する。
【００２５】
組立手順を説明すると、バランサ１５の凸部１７をホルダ本体３Ａ側の凹部１６に嵌入
させると共に、各延長部２１を凹溝２２内に嵌入させ、その各延長部２１及び切断線Ｌに
沿って接着剤（例えば熱硬化性接着剤または紫外線硬化性接着剤）を塗布することにより
、ブリッジ側アーム部３Ｂｂ及び延長部２１をホルダ本体３Ａ及びホルダ本体側アーム部
３Ｂａに接着させ、その後、各コイル７，８を磁石対向面３Ａａに接着剤で接着させる。
【００２６】
上記構成によれば、バランサ１５のブリッジ側アーム部３Ｂｂから折れ曲がる延長部２
１をホルダ本体３Ａの磁石対向面３Ａａに接着剤で接着しているので、そのバランサ１５
とホルダ本体３Ａとを一層確実に接合することができる。
【符号の説明】
【００２７】
１        アクトベース
２        ゲルボックス
３        レンズホルダ
３Ａ      ホルダ本体
３Ａａ    磁石対向面
３Ｂ      アーム
３Ｂａ    ホルダ本体側アーム部
３Ｂｂ    ブリッジ側アーム部
３Ｃ      ブリッジ
３Ｄ      カウンターウエイト
５        弾性ワイヤ
６        半田付け
７        フォーカスコイル
８        トラッキングコイル
９        磁石
１０      空隙
１１      ヨーク
１５      バランサ
２１      延長部
ＯＬ      対物レンズ
Ａ        レーザ光
Ｌ        切断線
【図１】
2012208970.tif 000003
【図２】
2012208970.tif 000004
【図３】
2012208970.tif 000005
【図４】
2012208970.tif 000006
【図５】
2012208970.tif 000007
【図６】
2012208970.tif 000008
【図７】
2012208970.tif 000009